(57)【要約】【課題】利用したい印刷装置で対象のコンテンツが印刷可能であるかどうかを、簡易な操作で確認できるようにする。【解決手段】コンテンツが表示されている表示装置１１２の画面に印刷装置１０１が接近もしくは接触すると、表示装置１１２において、印刷装置１０１からの距離が近いコンテンツから順に、印刷装置１０１のリソース残量と、コンテンツが使用する印刷装置１０１のリソース使用量とを比較し、コンテンツの印刷の可否を判定し、判定したコンテンツを区別するためにコンテンツの表示を切り替える。【選択図】図１
2014099207.tif 000002
【特許請求の範囲】
【請求項１】
画面にコンテンツを表示する表示装置であって、
印刷装置の接近もしくは接触を検知する接近接触検知手段と、
前記接近接触検知手段によって検知された前記印刷装置の位置を検知する位置検知手段と、
前記印刷装置のリソース残量を取得するリソース残量取得手段と、
コンテンツが使用する前記印刷装置のリソース使用量を設定するリソース使用量設定手段と、
前記リソース残量取得手段によって取得されたリソース残量と前記リソース使用量設定手段によって設定されたリソース使用量とを比較することによりコンテンツの印刷の可否を判定する判定手段と、
前記判定手段によって判定されたコンテンツを区別するためにコンテンツの表示を切り替える表示切替手段とを備えることを特徴とする表示装置。
【発明の詳細な説明】
【技術分野】
【０００１】
本発明は、コンテンツが表示されている画面に接近もしくは接触する印刷装置を検知し、コンテンツの印刷を行う表示装置に関する。
【背景技術】
【０００２】
従来、ディスプレイ上に表示されているコンテンツを印刷するには、コンテンツを選択した後、メニューから印刷に使用する印刷装置を指定している。しかし、印刷装置は名称やアイコンで示されており、実機との対応が直感的でないことから、操作に習熟していない人にとってはわかりにくいものとなっている。そこで、印刷装置を表す電子ピンを用意し、ディスプレイ上に表示されているコンテンツにピンを刺すような操作で印刷操作を行う方法が開示されている（特許文献１）。
【０００３】
また、印刷装置には据え置き型や携帯型等の多様なものが存在し、利用可能な印刷装置が複数存在する状況も考えられる。これに対しては、例えば携帯型の印刷装置を考えた場合、携帯端末を接近させるとその機種を判別し、機種に応じて動作内容を決定する処理装置が開示されている（特許文献２）。
【先行技術文献】
【特許文献】
【０００４】
【特許文献１】特開２００６−１５５１９４号公報
【特許文献２】特開２００５−２００５１号公報
【発明の概要】
【発明が解決しようとする課題】
【０００５】
しかしながら、ディスプレイ上に表示されているコンテンツが印刷可能か否かを知るためには、ユーザがコンテンツの種類や属性情報を確認して判断するか、実際に印刷を試してみる必要があった。このため操作に習熟していない人にとっては難易度が高く、操作に習熟していたとしても属性情報の確認等の煩雑な操作が必要であった。
【０００６】
本発明は上述した問題を解決するためになされたものであり、利用したい印刷装置で対象のコンテンツが印刷可能であるかどうかを、簡易な操作で確認できるようにすることを目的とする。
【課題を解決するための手段】
【０００７】
本発明の表示装置は、画面にコンテンツを表示する表示装置であって、印刷装置の接近もしくは接触を検知する接近接触検知手段と、前記接近接触検知手段によって検知された前記印刷装置の位置を検知する位置検知手段と、前記印刷装置のリソース残量を取得するリソース残量取得手段と、コンテンツが使用する前記印刷装置のリソース使用量を設定するリソース使用量設定手段と、前記リソース残量取得手段によって取得されたリソース残量と前記リソース使用量設定手段によって設定されたリソース使用量とを比較することによりコンテンツの印刷の可否を判定する判定手段と、前記判定手段によって判定されたコンテンツを区別するためにコンテンツの表示を切り替える表示切替手段とを備えることを特徴とする。
【発明の効果】
【０００８】
本発明によれば、利用したい印刷装置で対象のコンテンツが印刷可能であるかどうかを、簡易な操作で確認することができる。
【図面の簡単な説明】
【０００９】
【図１】第１の実施形態に係る表示装置の主要部の構成を示すブロック図である。
【図２】第１の実施形態の表示装置における印刷処理を説明するフローチャートである。
【図３】印刷可否判定処理を説明するフローチャートである。
【図４】第２の実施形態に係る表示装置の主要部の構成を示すブロック図である。
【図５】第２の実施形態の表示装置における印刷処理を説明するフローチャートである。
【図６】第３の実施形態に係る表示装置の主要部の構成を示すブロック図である。
【図７】第３の実施形態の表示装置における印刷処理を説明するフローチャートである。
【図８】第４の実施形態に係る表示装置の主要部の構成を示すブロック図である。
【図９】第４の実施形態の表示装置における印刷処理を説明するフローチャートである。
【発明を実施するための形態】
【００１０】
以下、添付図面を参照して、本発明の好適な実施形態について説明する。
（第１の実施形態）
図１は、本発明の第１の実施形態に係る表示装置の主要部の構成を示すブロック図である。図１において、１０１は印刷装置であり、可搬の小型プリンタであればより望ましい。１１２は表示装置であり、図では別に示すが、以下に述べる各部１０２〜１１１を含んで構成される。
【００１１】
表示装置１１２は、その画面に表示されている写真等のコンテンツをユーザが指先で軽く触れる等して、写真のサイズを変えたり、写真を移動させたりすることができる構成となっている。また、以下に詳述するように、印刷装置１０１を表示装置１１２の画面に近づけることにより、表示装置１１２の画面に表示されているコンテンツを印刷することができる。
【００１２】
１０２は接近接触検知部であり、印刷装置１０１の表示装置１１２の画面への接近もしくは接触を検知する。接近接触検知部１０２は、印刷装置１０１の接近もしくは接触を検知すると、通信部１０４を介して印刷装置１０１との接続を確立する。印刷装置１０１との接続には、公知の無線通信技術を使用すれば良い。
【００１３】
１０３は位置検知部であり、接近接触検知部１０２からの通知を受け、印刷装置１０１の接近もしくは接触位置を検知する。位置検知部１０３は、表示制御部１１１と接続され、表示装置１１２の画面上の座標情報を受ける。
【００１４】
１０４は通信部であり、印刷装置１０１と無線により通信を行う。１０５はデータ送信制御部であり、接近接触検知部１０２によって印刷装置１０１の接近もしくは接触が検知された場合に、印刷可否判定部１０６によって印刷可と判定されたコンテンツデータを、通信部１０４を介して印刷装置１０１に送信する。
【００１５】
１０６は印刷可否判定部であり、表示装置１１２の画面に表示されているコンテンツが印刷可能か否かを判定する。印刷可否判定部１０６において、リソース残量取得部１０７は、印刷装置１０１のリソース残量、例えば色材や印刷用紙の残量情報を取得する。リソース使用量設定部１０９は、表示装置１１２の画面に表示されているコンテンツを印刷する際に使用するリソース量をコンテンツの種類及び容量に応じて予め決められた値に設定する。判定部１０８は、リソース残量取得部１０７とリソース使用量設定部１０９によって得られた値を比較し、表示装置１１２の画面に表示されているコンテンツが印刷可能か否かを判定する。その際、位置検知部１０３によって検知された印刷装置１０１の位置からの距離が近いコンテンツから順に判定する。
【００１６】
１１０は表示切替部であり、印刷可否判定部１０６によって判定されたコンテンツを区別するためにコンテンツの表示を切り替える。コンテンツの表示の切り替えは、印刷可能なコンテンツを目立たせて表示しても良いし、印刷不可能なコンテンツを暗転表示しても良いし、その両方でも良い。また、目立たせる表示はハイライト表示、点滅表示、高輝度表示、拡大表示、もしくは陰影をつけて浮かび上がったように表示しても良い。また、印刷可能なコンテンツが印刷不可能なコンテンツの下に重なっている場合に、該当コンテンツを前面に表示しても良い。
【００１７】
１１１は表示制御部であり、表示装置１１２の画面にコンテンツの表示を行う。また、位置検知部１０３と接続され、表示装置１１２の画面上の座標情報を与える。
【００１８】
図２は、本実施形態の表示装置における印刷処理を説明するフローチャートである。ステップＳ２０１及びステップＳ２０２において、接近接触検知部１０２は、印刷装置１０１の接近もしくは接触を検知する。接近接触検知部１０２は、表示装置１１２の画面と印刷装置１０１との距離を随時確認し、距離がＸ未満であれば、印刷装置１０１が接近もしくは接触したと判定する。
【００１９】
ステップＳ２０２で印刷装置１０１の接近もしくは接触が検知された場合、ステップＳ２０３において、位置検知部１０３は、表示装置１１２の画面上における印刷装置１０１の座標情報を表示制御部１１１から取得する。ステップＳ２０４において、表示装置１１２の画面に表示されているコンテンツの印刷可否を判定する。ステップＳ２０４の処理は後述する。
【００２０】
ステップＳ２０５において、表示切替部１１０は、ステップＳ２０４で判定されたコンテンツが印刷可能であるかどうかを区別するために、コンテンツの表示を切り替える。表示の切り替えについては図１の説明で述べた通りである。
【００２１】
ステップＳ２０６において、データ送信制御部１０５は、印刷可否判定部１０６によって印刷可と判定されたコンテンツデータを、通信部１０４を介して印刷装置１０１に送信する。印刷装置１０１は、データ送信制御部１０５によって送信されたコンテンツデータを印刷する。
【００２２】
図３は、ステップＳ２０４の印刷可否判定処理を説明するフローチャートである。ステップＳ３０１において、印刷可否判定部１０６は、リソース残量取得部１０７によって、印刷装置１０１のリソース残量Ａを取得する。リソース残量Ａは、色材の残量でも良いし、印刷用紙の残量でも良いし、その両方でも良い。データ送信制御部１０５は、リソース残量取得部１０７からの要求を受け、通信部１０４を介して印刷装置１０１のリソース残量を取得し、リソース残量取得部１０７に取得した情報を通知する。
【００２３】
ステップＳ３０２〜ステップＳ３０７において、印刷可否判定部１０６は、表示装置１１２の画面に表示されている全てのコンテンツの印刷可否を判定する。ステップＳ３０２において、全コンテンツの印刷可否を判定したかどうかを確認する。全コンテンツの判定が終了していた場合は、印刷可否判定処理を終了し、判定が終了していないコンテンツが存在していた場合は、ステップＳ３０３に移行する。
【００２４】
ステップＳ３０３において、印刷可否判定部１０６は、リソース使用量設定部１０９によって、コンテンツを印刷する際に使用するリソース使用量Ｂを設定する。その際、判定部１０８によって判定が終了していないコンテンツのうち、印刷装置１０１からの距離が最も近いコンテンツのリソース使用量を設定する。ここでリソース使用量Ｂは、リソース残量Ａに対応したリソース使用量であり、コンテンツの種類及び容量に応じて予め決められた値が設定される。
【００２５】
ステップＳ３０４及びステップＳ３０５において、ステップＳ３０３で設定したリソース使用量Ｂが印刷装置１０１のリソース残量Ａの範囲内であるかを判定する。判定部１０８は、まず、ステップＳ３０４において、リソース残量Ａとリソース使用量Ｂの差分を取り、その結果を新たにリソース残量Ａに設定する。次に、ステップＳ３０５において、ステップＳ３０４で新たに設定したリソース残量Ａが負の値の場合に、ステップＳ３０６に移行し、零以上の値の場合に、ステップＳ３０７に移行する。
【００２６】
ステップＳ３０６において、ステップＳ３０３でリソース使用量Ｂを設定したコンテンツと印刷可否の判定が終了していない残りの全コンテンツを印刷不可と判定し、印刷可否判定処理を終了する。
【００２７】
一方、ステップＳ３０７において、ステップＳ３０３でリソース使用量Ｂを設定したコンテンツを印刷可と判定し、ステップＳ３０２に戻る。ステップＳ３０７においては、印刷不可と判定されたコンテンツと区別する（見分けられるようにする）ために、印刷可と判定されたコンテンツを印刷装置１０１の近傍に移動しても良い。
【００２８】
以上述べたように、印刷装置１０１を表示装置１１２の画面に接近もしくは接触させるという簡易な操作で、該印刷装置１０１で対象のコンテンツが印刷可能であるかどうかを確認することができる。
【００２９】
（第２の実施形態）
図４は、本発明の第２の実施形態に係る表示装置の主要部の構成を示すブロック図である。図１の構成と異なる点は、新たに領域表示部４０１を追加した点である。その他の各部は図１における各部と同様であるので、その説明は省略する。
【００３０】
領域表示部４０１は、位置検知部１０３から得られた印刷装置１０１の位置情報に基づいて、表示装置１１２の画面に、印刷装置１０１の位置を中心とする領域、例えば円形領域を表示する。この領域内に存在するコンテンツのみが、印刷可否判定部１０６による印刷の可否の判定対象となる。
【００３１】
図５は、本実施形態の表示装置における印刷処理を説明するフローチャートである。図２のフローチャートと異なる点は、新たにステップＳ５０１、ステップＳ５０２を追加した点である。その他の各ステップは、図２における各ステップと同様であるので、その説明は省略する。
【００３２】
ステップＳ５０１において、領域表示部４０１は、位置検知部１０３から印刷装置１０１の位置情報を取得し、表示装置１１２の画面に、印刷装置１０１の位置を中心とする領域、例えば円形領域を表示する。
【００３３】
ステップＳ５０２において、ステップＳ５０１で表示された領域内のコンテンツを印刷の可否の判定対象に設定する。続くステップＳ２０４では、ステップＳ５０２で設定されたコンテンツの印刷可否を判定する。
【００３４】
（第３の実施形態）
図６は、本発明の第３の実施形態に係る表示装置の主要部の構成を示すブロック図である。図１の構成と異なる点は、新たに第１の表示部６０１、第２の表示部６０２を追加した点である。その他の各部は図１における各部と同様であるので、その説明は省略する。
【００３５】
第１の表示部６０１は、位置検知部１０３から得られた印刷装置１０１の位置情報に基づいて、表示装置１１２の画面に、印刷装置１０１の位置を中心とする領域、例えば円形領域を表示し、その領域に印刷装置１０１のリソース残量を表示する。リソース残量は、印刷装置１０１の位置の近傍に表示しても良い。
【００３６】
第２の表示部６０２は、印刷可否判定部１０６によって印刷不可と判定されたコンテンツの位置情報を表示制御部１１１から取得し、表示装置１１２の画面に、該当コンテンツを中心とする領域、例えば円形領域を表示し、該当コンテンツのリソース使用量を領域表示する。リソース使用量は、該当コンテンツの近傍に表示しても良い。もしくは、第２の表示部６０２は、印刷可否判定部１０６によって印刷可と判定されたコンテンツのうち、印刷の際に画質の劣化が予想されるコンテンツの位置情報を表示制御部１１１から取得し、表示装置１１２の画面に、該当コンテンツを中心とする領域、例えば円形領域を表示し、該当コンテンツのリソース使用量を表示しても良い。リソース使用量は、該当コンテンツの近傍に表示しても良い。この場合に、画質劣化の原因をメッセージとして該当コンテンツの近傍に表示しても良い。
【００３７】
なお、本実施形態においても、第２の実施形態と同様に領域表示部４０１を備え、印刷可否の判定対象を領域内のコンテンツとしても良い。
【００３８】
図７は、本実施形態の表示装置における印刷処理を説明するフローチャートである。図２のフローチャートと異なる点は、新たにステップＳ７０１、ステップＳ７０２を追加した点である。その他の各ステップは、図２における各ステップと同様であるので、その説明は省略する。
【００３９】
ステップＳ７０１において、第１の表示部６０１は、位置検知部１０３から印刷装置１０１の位置情報を取得する。取得した位置情報に基づいて、表示装置１１２の画面に、印刷装置１０１を中心とする領域、例えば円形領域を表示し、印刷装置１０１のリソース残量を表示する。この領域はリソース残量に応じて面積が変化し、残量が多いほど大きくなる。既述したように、この領域は印刷装置１０１の位置の近傍に表示しても良い。
【００４０】
ステップＳ７０２において、第２の表示部６０２は、対象となるコンテンツの位置情報を表示制御部１１１から取得する。取得した位置情報に基づいて、表示装置１１２の画面に、該当コンテンツを中心とする領域、例えば円形領域を表示し、該当コンテンツのリソース使用量を表示する。この領域はリソース使用量に応じて面積が変化し、使用量が多いほど大きくなる。既述したように、この領域は該当コンテンツの近傍に表示しても良い。また、対象となるコンテンツは印刷可否判定部１０６によって印刷可と判定されたコンテンツとしても良いし、印刷不可と判定されたコンテンツとしても良い。また、印刷可と判定されたコンテンツを対象とする場合は、例えば、ある色の色材の残量が不足している等の理由のため、印刷の際に画質の劣化が予想されるコンテンツを対象としても良い。さらに、画質の劣化が予想されるコンテンツを対象とする場合は、リソース使用量の代わりに画質劣化の原因をメッセージとして該当コンテンツ近傍に表示しても良い。
【００４１】
（第４の実施形態）
図８は、本発明の第４の実施形態に係る表示装置の主要部の構成を示すブロック図である。図６の構成と異なる点は、新たに選択部８０１を追加した点である。その他の各部は図６における各部と同様であるので、その説明は省略する。
【００４２】
選択部８０１は、ユーザによって選択されたコンテンツを印刷可否の判定対象とする。
【００４３】
図９は、本実施形態の表示装置における印刷処理を説明するフローチャートである。図７のフローチャートと異なる点は、新たにステップＳ９０１を追加した点である。その他の各ステップは、図７における各ステップと同様であるので、その説明は省略する。
【００４４】
ステップＳ９０１において、選択部８０１は、ユーザによって選択されたコンテンツをステップＳ２０４の印刷可否の判定対象とする。
【００４５】
なお、上記実施形態において示す構成は一例に過ぎず、本発明は図示された構成に限定されるものではない。例えば本発明は、複数の機器から構成されるシステムの一部として適用しても、一つの機器からなる装置の一部に適用してもよい。
【００４６】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４７】
１０１：印刷装置、１０２：接近接触検知部、１０３：位置検知部、１０４：通信部、１０５：データ送信制御部、１０６：印刷可否判定部、１０７：リソース残量取得部、１０８：判定部、１０９：リソース使用量設定部、１１０：表示切替部、１１１：表示制御部、１１２：表示装置、４０１：領域表示部、６０１：第１の表示部、６０２：第２の表示部、８０１：選択部
【図１】
2014099207.tif 000003
【図２】
2014099207.tif 000004
【図３】
2014099207.tif 000005
【図４】
2014099207.tif 000006
【図５】
2014099207.tif 000007
【図６】
2014099207.tif 000008
【図７】
2014099207.tif 000009
【図８】
2014099207.tif 000010
【図９】
2014099207.tif 000011